【手続補正書】
【提出日】平成18年1月16日(2006.1.16)
【手続補正１】
【補正対象書類名】明細書
【補正対象項目名】特許請求の範囲
【補正方法】変更
【補正の内容】
【特許請求の範囲】
【請求項１】  鉱物繊維バインダーとして好適な水溶性バインダー樹脂の製造方法であって、該製造方法が、反応性条件下で環式無水物とアルカノールアミンとを混合するステップを含み、反応生成物は、前記バインダー樹脂の成分を形成する、製造方法。
【請求項２】  前記アルカノールアミンがβ−ヒドロキシアルキルアミンである、請求項１に記載の方法。
【請求項３】  前記混合物が、２０〜１００℃の範囲内の温度、好ましくは少なくとも５０℃、より好ましくは少なくとも７０℃に加熱される、請求項１に記載の方法。
【請求項４】  前記環式無水物が以下の一般式(ＩＩ）：
【化１】
2002509123.tif 000001
［式中、Ｂは、置換または非置換の（Ｃ2〜Ｃ20）アリール、アルキルもしくはシクロアルキル脂肪族基、１，２−エチレン、１，２−エチリデン、４−カルボキシル−１，２−フェニレン、１，３−プロピレン、１，２−シクロヘキシル、１，２−フェニレン、１，３−フェニレン、１，４−フェニレンおよび／または１，２−シクロヘキシ−４−エニル基から選択される］を有する、請求項１に記載の方法。
【請求項５】  前記環式無水物が、無水フタル酸、テトラヒドロフタル酸無水物、ヘキサヒドロフタル酸無水物、５ーノルボルナン−２，３−ジカルボン酸無水物、ノルボルナン−２，３−ジカルボン酸無水物、２−ドデセン−１−イル−コハク酸無水物、メチルコハク酸無水物、グルタル酸無水物、４−メチルフタル酸無水物、４−メチルヘキサヒドロフタル酸無水物および４−メチルテトラヒドロフタル酸無水物から選択される、請求項１に記載の方法。
【請求項６】  前記環式無水物が例えばトリメリト酸無水物などのカルボン酸基を有する、請求項１に記載の方法。
【請求項７】  前記アルカノールアミンが以下の一般式ＩＩＩ：
【化２】
2002509123.tif 000002
［式中、Ｒ1、Ｒ2、Ｒ3およびＲ4は、Ｈ、（Ｃ1〜Ｃ8）アリール、アルキルもしくはシクロアルキルまたはＣＨ2−ＯＲであり、ただし、Ｒは、Ｈ、アリール、アルキルまたはシクロアルキルであり、
Ｒ9は次式：
【化３】
2002509123.tif 000003
またはHであり、但し、Ｂは請求項４に記載のものを表し、
Ｙは次式：
【化４】
2002509123.tif 000004
、アルキルまたはアリールであり、ただし、Ｒ5、Ｒ6、Ｒ7およびＲ8は、（Ｃ1〜Ｃ8）アリール、アルキルもしくはシクロアルキルまたはＣＨ2−ＯＲであり、Ｒは、Ｈ、アリール、アルキルまたはシクロアルキルである］を有する、請求項１乃至６のいずれか１項に記載の方法。
【請求項8】  前記アルカノールアミンが、モノアルカノールアミン、ジアルカノールアミン、トリアルカノールアミンまたはこれらの混合物、好ましくは（ジ）エタノールアミン、１−（メ）エチルエタノールアミン、ｎ −ブチルエタノールアミン、１−（メ）エチルイソプロパノールアミン、３−アミノ−１，２−プロパンジオール、２−アミノ−１，３−プロパンジオール、トリス（ヒドロキシメチル）アミノメタンおよびトリエタノールアミン、好ましくはジエタノールアミンから選択される、請求項７に記載の方法。
【請求項9】  溶媒の存在下でおよび／または
水の存在下で実施され、
水の存在下で実施される場合、反応が、好ましくは、無水物およびアルカノールアミンに比較して４０重量％より少ない水の存在下に開始される、請求項１乃至８のいずれか１項に記載の方法。
【請求項１０】  無水物対アルカノールアミンのモル比が約２：１未満、好ましくは約１．５:１未満、最も好ましくは約１．４２:１以下である、請求項１乃至９のいずれか１項に記載の方法。
【請求項１１】  請求項１乃至１０のいずれか１項に記載の方法によって得ることができる、鉱物繊維を結合するのに適するバインダー樹脂。
【請求項１２】  カルボン酸基および／またはβ−ヒドロキシアルキルアミド基を有する低分子量化合物を含む、請求項１１に記載のバインダー樹脂。
【請求項１３】  カルボン酸基とβ−ヒドロキシアルキル基との比が１．０:５．０と５．０:１．０との間にある、請求項１２に記載のバインダー樹脂。
【請求項１４】  カルボン酸基とβ−ヒドロキシアルキル基との比が、１．０:３．０と２．０:１．０との間にある、請求項１３に記載のバインダー樹脂。
【請求項１５】  ヒドロキシアルキル基のファンクショナリティが１〜２５０、好ましくは２〜５０の範囲内であり、カルボン酸基のファンクショナリティが約２５０未満、好ましくは１〜５０の範囲内である、請求項１２乃至１４のいずれか１項に記載のバインダー樹脂。
【請求項１６】  前記化合物が以下の一般式（Ｉ）：
【化５】
2002509123.tif 000005
［式中、ｎ＝１、２、３、
Ｂは請求項４に記載のものを表し、
Ｒ1、Ｒ2、Ｒ3、Ｒ4、Ｒ5、Ｒ6、Ｒ7およびＲ8は、Ｈ、（Ｃ1〜Ｃ8）アリールもしくはシクロアルキルまたはＣＨ2−ＯＲであり、ただしＲは、Ｈ、アリールまたはシクロアルキルであり、
Ｒ9は次式：
【化６】
2002509123.tif 000006
またはＨであり、
Ｙは次式：
【化７】
2002509123.tif 000007
、アルキルまたはアリールである］を有する、請求項１２乃至１５のいずれか１項に記載のバインダー樹脂。
【請求項１７】  前記式（Ｉ）においてＲ1、Ｒ2、Ｒ3、Ｒ4は、Ｈである、請求項１６に記載のバインダー樹脂。
【請求項１８】  前記化合物が約１０００未満、好ましくは約６００未満の分子量を有する、請求項１乃至１７のいずれか１項に記載のバインダー樹脂。
【請求項１９】  前記化合物が以下の化合物Ａ〜Ｋ：
【化８】
2002509123.tif 000008
【化９】
2002509123.tif 000009
【化１０】
2002509123.tif 000010
【化１１】
2002509123.tif 000011
【化１２】
2002509123.tif 000012
【化１３】
2002509123.tif 000013
【化１４】
2002509123.tif 000014
【化１５】
2002509123.tif 000015
【化１６】
2002509123.tif 000016
から選択され、式中、Ｂは請求項４に記載のものを表す、請求項１２乃至１８のいずれか１項に記載のバインダー樹脂。
【請求項２０】  鉱物繊維、特にガラスウールおよびストーンウールに適するバインダー組成物であって、請求項１１乃至１９のいずれか１項に記載のバインダー樹脂またはそれらの塩と、標準のバインダー組成物添加物とを含む、バインダー組成物。
【請求項２１】  前記添加物が疎水性化剤、親水性界面活性剤、ガラス用接着促進剤、熱または紫外線安定剤、界面活性剤、充填剤および顔料から選択される、請求項２０に記載のバインダー組成物。
【請求項２２】  さらに、促進剤、好ましくは次亜リン酸ナトリウムを含む、請求項２０または２１に記載のバインダー組成物。
【請求項２３】  さらに水を含む、請求項２０乃至２２のいずれか１項に記載のバインダー組成物。
【請求項２４】  少なくとも３Ｎ／ｍｍ2、好ましくは少なくとも６Ｎ／ｍｍ2、最も好ましくは少なくとも８Ｎ／ｍｍ2の乾燥結合強度を有し、８０℃の温度の水中に３時間浸すと、少なくとも１Ｎ／ｍｍ2、好ましくは少なくとも２Ｎ／ｍｍ2の湿潤結合強度を有する、請求項２０乃至２３のいずれか１項に記載のバインダー組成物。
【請求項２５】  ガラスウールまたはストーンウール製品などの結合された鉱物繊維製品の製造方法であって、該製造方法が、請求項１１乃至１９のいずれか１項に記載のバインダー樹脂または請求項２０乃至２４のいずれか１項に記載のバインダー組成物を該鉱物繊維に付与し、その後これを硬化させるステップを含む、製造方法。
【請求項２６】  ガラスウールまたはストーンウール製品が、紡糸されたガラスまたはストーンにバインダー組成物をスプレーし、次いでこれを１５０℃〜３００℃の温度で硬化させることにより製造される、請求項２５に記載の方法。
【請求項２７】  請求項２５または２６により得ることができる鉱物繊維製品。